(57)【要約】【課題】予め設定された送信レベルの範囲内の送信信号が出力される場合には送信動作を継続し、上記範囲外の送信信号が出力される場合には送信を停止して送信回路を保護する。【解決手段】アンテナ接続用接栓４と、アンテナ接続用接栓４に送信信号を出力する送信回路１と、送信回路１の動作を制御する通信制御手段５と、通信制御手段５よって予め設定されたアンテナ接続用接栓４における送信すべきレベルとアンテナ接続用接栓４おける送信信号のレベルとを比較する比較手段９とを備え、送信信号のレベルが送信すべきレベルの所定の許容範囲の内にあるときには通信制御手段５によって送信回路１の送信動作を継続し、所定の許容範囲の外にあるときには通信制御手段５によって送信回路１の送信動作を停止するようにした。【選択図】        図１
2004159209.tif 000002
【特許請求の範囲】
【請求項１】
アンテナ接続用接栓と、前記アンテナ接続用接栓に送信信号を出力する送信回路と、前記送信回路の動作を制御する通信制御手段と、前記通信制御手段によって予め設定された前記アンテナ接続用接栓における送信すべきレベルと前記アンテナ接続用接栓における前記送信信号のレベルとを比較する比較手段とを備え、前記送信信号のレベルが前記送信すべきレベルの所定の許容範囲の内にあるときには前記通信制御手段によって前記送信回路の送信動作を継続し、前記所定の許容範囲の外にあるときには前記通信制御手段によって前記送信回路の送信動作を停止するようにしたことを特徴とする無線通信端末装置。
【請求項２】
前記アンテナ接続用接栓における前記送信信号のレベルを検出する検出回路と、検出された前記送信信号のレベルをデジタル変換するＡ／Ｄ変換器と、前記送信すべきレベルを記憶するメモリとを設け、前記デジタル変換された電圧と前記メモリに記憶された電圧とを前記比較手段によって比較したことを特徴とする請求項１に記載の無線通信端末装置。
【請求項３】
前記メモリに記憶された前記送信すべきレベルを、前記通信制御手段によって設定する毎に更新したことを特徴とする請求項２に記載の無線通信端末装置。
【請求項４】
表示手段を設け、前記表示手段に前記送信動作の継続又は停止の区別又は前記アンテナ接続用接栓におけるアンテナの接続状態を表示したことを特徴とする請求項１又は３に記載の無線通信端末装置。
【発明の詳細な説明】
【０００１】
【発明の属する技術分野】
この発明はアンテナ接続用接栓を有し、データ伝送用等に用いられる無線通信端末装置に関する。
【０００２】
【従来の技術】
従来の無線通信端末装置を図２に示す。アンテナ１５には高周波コイル１８が接地との間に接続される。一方、無線通信端末装置の本体側には電流検出回路２１及び信号出力回路２２を備えた送信制御回路２０が設けられる。電流検出回路２１はアンテナ接栓１３に直流電圧を印加して直流電流が流れるか否かを検出する。この場合、接栓１３にアンテナ１５が接続されれば直流電流が流れる。この時は送信回路（図示せず）からの送信信号（高周波信号）がアンテナ接栓１３に出力される。しかし、電流検出回路２１が直流電流を検出しないときには、送信制御回路２０はアンテナ接栓１３にアンテナ１５が接続されていないと判定して信号出力回路２２は送信禁止信号を出力し、これによって送信信号を出力しないようにしている（例えば、特許文献１参照。）。
【０００３】
【特許文献１】
特開平４−３２６８１８号公報（図２）
【０００４】
【発明が解決しようとする課題】
従来の構成では、アンテナ接栓にアンテナが接続されていないときには送信信号を出力しないようにして装置を保護できるが、アンテナ接栓自体がショートしていた場合は電流検出回路が直流電流を検出するのでアンテナが接続されているものと判断する。従って、送信信号が出力され、送信回路が破壊されるおそれがある。
【０００５】
本発明は、予め設定された送信レベルの範囲内の送信信号が出力される場合には送信動作を継続し、上記範囲外の送信信号が出力される場合には送信を停止して送信回路を保護することを目的とする。
【０００６】
【課題を解決するための手段】
本発明は、アンテナ接続用接栓と、前記アンテナ接続用接栓に送信信号を出力する送信回路と、前記送信回路の動作を制御する通信制御手段と、前記通信制御手段によって予め設定された前記アンテナ接続用接栓における送信すべきレベルと前記アンテナ接続用接栓における前記送信信号のレベルとを比較する比較手段とを備え、前記送信信号のレベルが前記送信すべきレベルの所定の許容範囲の内にあるときには前記通信制御手段によって前記送信回路の送信動作を継続し、前記所定の許容範囲の外にあるときには前記通信制御手段によって前記送信回路の送信動作を停止するようにした。
【０００７】
また、前記アンテナ接続用接栓における前記送信信号のレベルを検出する検出回路と、検出された前記送信信号のレベルをデジタル変換するＡ／Ｄ変換器と、前記送信すべきレベルを記憶するメモリとを設け、前記デジタル変換された電圧と前記メモリに記憶された電圧とを前記比較手段によって比較した。
【０００８】
また、前記メモリに記憶された前記送信すべきレベルを、前記通信制御手段によって設定する毎に更新した。
【０００９】
また、表示手段を設け、前記表示手段に前記送信動作の継続又は停止の区別又は前記アンテナ接続用接栓におけるアンテナの接続状態を表示した。
【００１０】
【発明の実施の形態】
図１に示す本発明の無線通信端末装置は、例えばＣＤＭＡ方式を用いたデータ伝送用のものであり、送信回路１及び受信回路２はデュプレクサ３を介してアンテナ接続用接栓４に結合される。デュプレクサ３はアンテナ接続用接栓４の直近に設けられる。アンテナ接続用接栓４には外部アンテナ（図示せず）が接続される。送信回路１からの送信信号はデュプレクサ３を介してアンテナ接続用接栓４に出力され、アンテナ接続用接栓４に入力された受信信号はデュプレクサ３を経て受信回路２に入力される。送信回路１及び受信回路２は通信制御手段５に接続される。
【００１１】
通信制御手段５はＣＰＵで構成され、送信回路１及び受信回路２との間でデータの送受を行うと共に、基地局からの制御信号に基づいて送信回路１が出力すべき送信信号のレベル設定を行う。また、送信回路１の送信動作の継続又は停止の制御も行う。そして、送信回路１は設定されたレベルの送信信号を出力する。設定されたレベルは所定の許容範囲（例えば±０．５ｄＢの幅）のデータとしてメモリ６に記憶される。メモリ６に記憶されたレベルのデータは通信制御手段５によるレベル設定の都度更新される。また、通信制御手段５は受信回路２のＡＧＣ制御も行う。
【００１２】
アンテナ接続用接栓４に出力される実際の送信信号のレベルは検出回路７によって検出される。検出回路７はアンテナ接続用接栓４における送信信号を検波して直流電圧に変換し、Ａ／Ｄ変換器８はその直流電圧をデジタルデータに変換する。デジタル変換された直流電圧は比較手段９に入力される。比較手段９にはメモリ６に記憶されたレベルデータも入力され、直流電圧と比較される。比較手段９には表示手段１０が接続される。なお、比較手段９はプログラムされた手順に従って比較判定を行うようにソフトウエアで構成される。
【００１３】
以上の構成において、送信回路１は設定されたレベルの送信信号をアンテナ接続用接栓４に出力する。そして、比較手段９はメモリ６に記憶された設定レベルとＡ／Ｄ変換器８からの直流電圧とを比較すると共に、直流電圧が設定レベルの許容範囲内にあるか許容範囲のミニマム値よりも小さいか又はマキシマム値よりも大きいかのレベル判定をし、その結果を通信制御手段５と表示手段１０とに出力する。
【００１４】
ここで、アンテナ接続用接栓４に外部アンテナが接続されていれば、比較手段９によって比較される直流電圧はメモリに記憶されているレベルの許容範囲内にあるので、通信制御手段５は送信回路１がそのまま送信動作を継続するように制御する。しかし、アンテナが接続されていないと、アンテナ接続用接栓４における送信信号のレベルは設定されたレベルよりも高くなり、検波された直流電圧が設定されたレベルのマキシマム値以上になる。このような場合は送信回路１が破壊されるおそれがあるので、通信制御手段５によって送信回路１の送信動作を停止するように制御する。
【００１５】
また、アンテナ接続用接栓４がショートしてグランドに接続されていると、アンテナ接続用接栓４における送信信号のレベルは零となり、検波された直流電圧は設定されたレベルのミニマム値以下になる。このような場合も送信回路１が破壊されるおそれがあるので、通信制御手段５によって送信回路１の送信動作を停止するように制御する。
【００１６】
また、表示手段１０は比較手段９がレベル判定した結果に基づいて、アンテナの接続状態を例えば、正常、オープン、ショート等の区別で表示したり、又は送信回路１による送信動作の継続又は停止の区別を表示する。
【００１７】
なお、Ａ／Ｄ変換器８とメモリ６とを削除し、比較手段９を二つのスレッショルドレベルを有するウインドウコンパレータによって構成し、検出回路７からの検波電圧を直接ウインドウコンパレータに入力することでも送信信号のレベル判定が可能である。
【００１８】
【発明の効果】
以上説明したように、送信信号のレベルが送信すべきレベルの所定の許容範囲の内にあるときには通信制御手段によって送信回路の送信動作を継続し、所定の許容範囲の外にあるときには通信制御手段によって送信回路の送信動作を停止するようにしたので、アンテナ接続溶接栓にアンテナが接続されていなかったり、アンテナ接続用接栓がショートしていた場合の送信回路の破壊が避けられる。
【００１９】
また、アンテナ接続用接栓における送信信号のレベルを検出する検出回路と、検出された送信信号のレベルをデジタル変換するＡ／Ｄ変換器と、送信すべきレベルを記憶するメモリとを設け、デジタル変換された電圧とメモリに記憶された電圧とを比較手段によって比較したので、較手段はデジタル処理によってレベル判定ができる。
【００２０】
また、メモリに記憶された送信すべきレベルを、通信制御手段によって設定する毎に更新したので、常に正確な送信信号のレベル判定ができる。
【００２１】
また、表示手段に送信動作の継続又は停止の区別又はアンテナ接続用接栓におけるアンテナの接続状態を表示したので、異常な使用状態を即座に確認できる。
【図面の簡単な説明】
【図１】本発明の無線通信端末装置の構成を示す回路図である。
【図２】従来の無線通信端末装置の構成を示す回路図である。
【符号の説明】
１  送信回路
２  受信回路
３  デュプレクサ
４  アンテナ接続用接栓
５  通信制御手段
６  メモリ
７  検出回路
８  Ａ／Ｄ変換器
９  比較手段
１０  表示手段
【図１】
2004159209.tif 000003
【図２】
2004159209.tif 000004